【手続補正書】
【提出日】平成23年8月26日(2011.8.26)
【手続補正１】
【補正対象書類名】明細書
【補正対象項目名】０００６
【補正方法】変更
【補正の内容】
【０００６】
かかる尿レシーバにおいて、この発明が特徴とするところは、以下のとおりである。前記複数枚の透液性シートであって前記容器の深さ方向において前記一対の電極よりも外側に位置するシートのいずれかが、熱可塑性合成繊維を含む不織布で形成されていて、前記深さ方向の外側に向いた外面と前記深さ方向の内側に向いた内面とを有する。前記外面には、前記一方向において山部と谷部とが交互に反復して現れる起伏が形成され、かつ、前記山部と前記谷部とが前記一方向と交差する方向へ延びて前記一対の電極を横切る状態にある。
【手続補正２】
【補正対象書類名】明細書
【補正対象項目名】００３０
【補正方法】変更
【補正の内容】
【００３０】
尿レシーバ１０２を着用中に便が排泄されて、肌当てシート１３４が便で覆われると、尿レシーバ１０２は尿を検出することができなくなったり尿を吸引することができなくなったりするという場合がある。それを防ぐために、図３，４，５に示されているように、尿レシーバ１０２には便センサ１４４が設けられている。便センサ１４４では、熱可塑性合成樹脂フィルム１４２ｃ，１４２ｄの上面にアルミ蒸着等によって電極１４３ａ，１４３ｂが形成されていて、そのフィルム１４２ｃ，１４２ｄが２枚のカバーシート１４２ａ，１４２ｂで被覆されている。カバーシート１４２ａは透液性のものであって、便中の水分が電極１４３ａ，１４３ｂに向かって透過可能である。かような便センサ１４４では、電極１４３ａ，１４３ｂが尿検出用電極２１８ａ，２１８ｂに並行して長さ方向Ｐへ延びていて、図３，５における下端部分１４５ｂが第２エンドシート１４０から下方へ延出している。その下端部分１４５ｂが便で汚れると、便中の水分がカバーシート１４２ａを透過して、電極１４３ａ，１４３ｂが電気的につながり、配線１１６に含まれている電源１１６ａ（図１参照）から電流が流れてポンプユニット１０８における警報器（図示せず）に信号を送り、便の処理と尿レシーバ１０２の交換とを介護者等に促すことができる。
【手続補正３】
【補正対象書類名】明細書
【補正対象項目名】００３２
【補正方法】変更
【補正の内容】
【００３２】
図７は、図６におけるＶＩＩ−ＶＩＩ線に沿う切断面を示す図である。図におけるフィルム部２６０の上面には、尿検出用の電極２１８ａの他に、断線検出用の抵抗体２５０が形成されており、非塗装部分１６９ａでは、電極２１８ａの尿検出部位１７５ａが露出している。抵抗体２５０は、その全体が絶縁性被覆１７０によって覆われている。
【手続補正４】
【補正対象書類名】明細書
【補正対象項目名】００３３
【補正方法】変更
【補正の内容】
【００３３】
図８は、絶縁性被覆１７０が剥離された状態にある尿センサ１１８の平面図である。フィルム部２６０の片面には、側部２６７ａと下端部２６８ａとにおいてほぼＬ字形を画くように尿検出用電極２１８ａが形成されている。また、側部２６７ｂと下端部２６８ｂとにおいて逆向きのＬ字形を画くように尿検出用電極２１８ｂが形成されている。これらの電極２１８ａ，２１８ｂに形成されている円形の部位１７５ａ，１７５ｂは、図６の非塗装部分１６９ａ，１６９ｂにおいて露出している。電極２１８ａと２１８ｂとの間には、断線検出用抵抗体２５０が形成されている。抵抗体２５０は、尿検出用電極２１８ａ，２１８ｂそれぞれの下端部分１７３，１７４と電気的につながるとともに、図示の如く開口１７１の縁に沿って延びている。
【手続補正５】
【補正対象書類名】明細書
【補正対象項目名】００３４
【補正方法】変更
【補正の内容】
【００３４】
かような尿センサ１１８において、好ましいフィルム部２６０には、厚さが５０〜１００μｍのポリエステルフィルムが使用される。電極２１８ａ，２１８ｂは、導電性インクや導電性塗料を使用して所要の形状をフィルム部２６０に印刷することによって得ることができる。導電性インクや導電性塗料には、例えば導電性材料として３〜７重量％のカーボンブラック、１０〜３０重量％のカーボングラファイト等の人造黒鉛、適宜量の銀粉が含まれる。好ましい電極２１８ａ，２１８ｂのそれぞれは、幅が０．５〜２ｍｍ、抵抗値が１５０ＫΩ以下となるように作られ、非塗装部分１６９ａ，１６９ｂは１〜２ｍｍの直径を有している。断線検出用抵抗体２５０は、例えばカーボンブラックが３〜７重量％、人造黒鉛が５〜１０重量％含まれるインクを使用して所要の形状をフィルム部２６０に印刷することによって得ることができる。この抵抗体２５０は、その抵抗値が尿検出用電極２１８ａ，２１８ｂの抵抗値よりもはるかに高いもので、好ましい抵抗体２５０は幅が０．３〜１ｍｍ、抵抗値が２〜１０ＭΩ程度となるように作られる。抵抗体２５０は、それに使用するインクが電極２１８ａ、２１８ｂに使用したものと同じで導電性が高いとか、印刷が容易なように幅が広くしてあるという場合には、図示例の如く縦方向Ｐに長い開口１７１の縁に沿って延びるようにして全長を極力長くし、それによって抵抗値を高くすることができる。
【手続補正６】
【補正対象書類名】明細書
【補正対象項目名】００３５
【補正方法】変更
【補正の内容】
【００３５】
図６の尿センサ１１８が尿レシーバ１０２において使用されているときには、電気配線１１６に含まれる電源１１６ａからクリップ１２０を介して電極２１８ａ，２１８ｂとこれらにつながる抵抗体２５０との間に常時微弱な電流Ａが流れている。電気配線１１６を含む電気回路１１０では、その電流Ａが流れているならば、尿検出用電極２１８ａ，２１８ｂが正常であると判断する。一方、電流Ａを検出することができなくなったときには、尿検出用電極２１８ａ，２１８ｂに断線等の異常があったと判断し、尿センサ１１８の交換を促す信号をポンプユニット１０８から外部に向かって出すことができる。図６において、仮想線１７６によって示された範囲が尿によって濡れると、側部２６７ａと側部２６７ｂとに形成されている非塗装部分１６９ａ，１６９ｂに尿が進入して、尿検出部位１７５ａ，１７５ｂに接触し、側部２６７ａにおける電極２１８ａと側部２６７ｂにおける電極２１８ｂとが尿を介して電気的につながる。両電極２１８ａ，２１８ｂ間の抵抗が抵抗体２５０の抵抗よりも小さくなると、電気は抵抗の大きい抵抗体２５０ではなくて、抵抗の小さい尿の中を流れる。尿の中を流れるときの電流Ｂが、抵抗体２５０を流れるときの電流Ａの値よりも大きければ、電気回路１１０では、この電流の変化またはそれに代わる電圧や抵抗値の急激な変化を捉えることによって、尿が排泄されたことを知ることができる。ポンプユニット１０８では、その変化によって生じる信号に基づいてポンプを作動させて尿を吸引し、電極２１８ａ，２１８ｂ間の抵抗が大きくなるとポンプを停止させる。
【手続補正７】
【補正対象書類名】明細書
【補正対象項目名】００４４
【補正方法】変更
【補正の内容】
【００４４】
１００ａ    尿吸引手段
１０２    尿レシーバ
１１２    容器
１１２ａ    開口
１１２ｂ    底部
１１２ｃ    周壁部
１１４    開口
１４３    電極
１４４    電極
１３４    透液性シート（肌当てシート）
１２６    透液性シート片（拡散シート）
４００    シート片
４００ａ    外面（上面）
４００ｂ    内面（下面）
４０１    山部
４０２    谷部
４０７    熱可塑性合成繊維
Ｐ    縦方向
Ｑ    横方向
Ｒ    深さ（厚さ）方向